(57)【要約】【課題】災害の発生時に安全確認の通知を行うことを事前に登録し、ユーザ端末間の安全確認の通知のための連絡手段を確保する呼制御システムおよび災害通知サーバ装置を提供する。【解決手段】予めユーザ端末８−２のアドレス情報とユーザ端末８−２の位置情報と通知相手ユーザ端末８−１のアドレス情報とを関連付けるリストを通知登録ユーザ情報リストとしてデータベース４に記憶する。災害発生時に、災害通知サーバ装置２は、災害の地域を示す災害地域情報を災害検知サーバ１から受信し、災害の地域に含まれるユーザ端末８−２の位置情報に該当する通知登録ユーザ情報リストを、プレゼンスサーバ３を介してデータベース４から抽出し取得し、抽出し取得した通知登録ユーザ情報リストに基づき、ユーザ端末８−２とユーザ端末８−１との間の呼の接続をＳＩＰサーバ５を用いて行う。【選択図】図１
2007312299.tif 000002
【特許請求の範囲】
【請求項１】
データベース装置とプレゼンスサーバ装置と呼接続サーバ装置と災害通知サーバ装置とを有し、ユーザ端末のユーザが呼の接続を行う通知相手ユーザ端末を予め前記データベース装置に登録しておき、災害時に前記登録に基づいて前記ユーザ端末と前記通知相手ユーザ端末との間の呼の接続を行う呼制御システムであり、
前記データベース装置が、
前記ユーザ端末のアドレス情報と前記ユーザ端末の位置情報と前記通知相手ユーザ端末のアドレス情報とを関連付けて通知登録ユーザ情報リストとして記憶する記憶手段、
を有し、
前記災害通知サーバ装置が、
災害の地域を示す災害地域情報を受信する災害地域情報受信手段と、
前記災害地域情報受信手段が受信した災害地域情報を前記プレゼンスサーバ装置へ送信する照会要求手段と、
前記送信した災害地域情報の応答である抽出通知登録ユーザ情報リストを前記プレゼンスサーバ装置から受信し、前記受信した抽出通知登録ユーザ情報リストを呼接続サーバ装置へ送信する抽出通知登録ユーザ情報リスト受信送信手段と、
を有し、
前記プレゼンスサーバ装置が、
前記災害地域情報を前記災害通知サーバ装置から受信し、前記位置情報が前記災害地域情報の地域に含まれる通知登録ユーザ情報リストを抽出通知登録ユーザ情報リストとして前記データベース装置から抽出し、前記抽出通知登録ユーザ情報リストを前記災害通知サーバ装置へ送信する抽出手段、
を有し、
前記呼接続サーバ装置が、
前記抽出通知登録ユーザ情報リストを前記災害通知サーバ装置から受信し、前記受信した抽出通知登録ユーザ情報リストに含まれるユーザ端末のアドレス情報の端末と通知相手ユーザ端末のアドレス情報の端末との間の呼の接続を行う呼接続手段、
を有することを特徴とする呼制御システム。
【請求項２】
前記呼接続サーバ装置からの通信接続に提供可能な経路と帯域の照会に応じて提供可能な経路と帯域の情報である提供可能経路帯域情報を前記呼接続サーバ装置へ送信する提供可能経路帯域情報送信手段、
を有する通信ネットワーク監視サーバ装置と、
前記呼接続サーバ装置からの通信接続に提供可能なサービス種別の照会に応じて提供可能なサービス種別の情報である提供可能サービス種別情報を前記呼接続サーバ装置へ送信する提供可能サービス種別情報送信手段、
を有するアプリケーションサーバ装置と、
を更に有し、
前記呼接続サーバ装置が、更に、
前記受信した抽出通知登録ユーザ情報リストに含まれるユーザ端末のアドレス情報の端末と通知相手ユーザ端末のアドレス情報の端末との間の呼の接続について提供可能な経路と帯域を通信ネットワーク監視サーバ装置へ照会し、前記通信ネットワーク監視サーバ装置から提供可能な経路と帯域の情報である提供可能経路帯域情報を受信する提供可能経路帯域情報取得手段と、
前記受信した抽出通知登録ユーザ情報リストに含まれるユーザ端末のアドレス情報の端末と通知相手ユーザ端末のアドレス情報の端末との間の呼の接続について提供可能なサービス種別をアプリケーションサーバ装置へ照会し、前記アプリケーションサーバ装置から提供可能なサービス種別の情報である提供可能サービス種別情報を受信する提供可能サービス種別情報取得手段と、
を有し、
前記呼接続手段が、
前記提供可能経路帯域情報取得手段が受信した提供可能経路帯域情報と前記提供可能サービス種別情報取得手段が受信した提供可能サービス種別情報とに基づいて、前記受信した抽出通知登録ユーザ情報リストに含まれるユーザ端末のアドレス情報の端末と通知相手ユーザ端末のアドレス情報の端末との間の呼の接続を行う、
ことを特徴とする請求項１に記載の呼制御システム。
【請求項３】
前記データベース装置の記憶手段が、
前記ユーザ端末のアドレス情報と前記ユーザ端末の位置情報と前記通知相手ユーザ端末のアドレス情報と、更に、連絡手段情報とを関連付けて前記通知登録ユーザ情報リストとして記憶し、
前記呼接続サーバ装置の前記呼接続手段が、
前記連絡手段情報を含む前記抽出通知登録ユーザ情報リストを前記災害通知サーバ装置から受信し、前記災害通知サーバ装置から受信した抽出通知登録ユーザ情報リストの連絡手段情報と前記提供可能サービス種別情報取得手段が受信した提供可能サービス種別情報とに基づいて、提供可能な連絡手段を選択し、前記選択した連絡手段のリストを前記通知相手ユーザ端末のアドレス情報の端末へ送信し、前記送信した連絡手段のリストの中から選択された連絡手段を前記通知相手ユーザ端末のアドレス情報の端末から受信し、前記受信した連絡手段に基づいて、前記受信した抽出通知登録ユーザ情報リストに含まれるユーザ端末のアドレス情報の端末と通知相手ユーザ端末のアドレス情報の端末との間の呼の接続を行う、
ことを特徴とする請求項２に記載の呼制御システム。
【請求項４】
前記プレゼンスサーバ装置が、
前記データベース装置に記憶されている通知登録ユーザ情報リストの前記ユーザ端末の合計数と連絡手段の内訳と内訳毎の合計数とを含む通知登録ユーザ情報総括表情報を生成し、前記生成した通知登録ユーザ情報総括表情報を前記呼接続サーバ装置と前記通信ネットワーク監視サーバ装置と前記アプリケーションサーバ装置とに送信する通知登録ユーザ情報総括表情報生成送信手段を有し、
前記呼接続サーバ装置が、
前記プレゼンスサーバ装置から前記通知登録ユーザ情報総括表情報を受信し、前記受信した通知登録ユーザ情報総括表情報に基づいて通知接続のためのセッション数を決定し、前記抽出通知登録ユーザ情報リストを前記災害通知サーバ装置から受信した時に、前記決定したセッション数に基づいて通知接続を確保するセッション通知接続確保手段を有し、
前記通信ネットワーク監視サーバ装置が、
前記プレゼンスサーバ装置から前記通知登録ユーザ情報総括表情報を受信し、前記受信した通知登録ユーザ情報総括表情報に基づいて通知接続のための帯域と経路を決定し、前記呼接続サーバ装置からの通信接続に提供可能な経路と帯域の照会に応じて、前記決定した通知接続のための帯域と経路に基づいて通知接続を確保する帯域経路通知接続確保手段を有し、
前記アプリケーションサーバ装置が、 
前記プレゼンスサーバ装置から前記通知登録ユーザ情報総括表情報を受信し、前記受信した通知登録ユーザ情報総括表情報に基づいて通知接続のためのサービス種別を決定し、前記呼接続サーバ装置からの通信接続に提供可能なサービス種別の照会に応じて、前記決定した通知接続のためのサービス種別に基づいて通知接続を確保するサービス種別通知接続確保手段を有し、
前記呼接続手段が、
前記セッション通知接続確保手段と前記帯域経路通知接続確保手段と前記サービス種別通知接続確保手段とが確保する通信接続に基づいて、前記受信した抽出通知登録ユーザ情報リストに含まれるユーザ端末のアドレス情報の端末と通知相手ユーザ端末のアドレス情報の端末との間の呼の接続を行う、
ことを特徴とする請求項２から請求項３に記載の呼制御システム。
【請求項５】
前記呼接続手段が、
前記ユーザ端末のアドレス情報の端末を呼び出し前記通知相手ユーザ端末のアドレス情報の端末を呼び出すことにより、前記受信した抽出通知登録ユーザ情報リストに含まれるユーザ端末のアドレス情報の端末と通知相手ユーザ端末のアドレス情報の端末との間の呼の接続を行う、
ことを特徴とする請求項１から請求項４に記載の呼制御システム。
【請求項６】
前記連絡手段が、
ＩＰ電話、ＴＶ電話、チャット通信または開封確認付き電子メールのいずれかであることを特徴とする請求項３から請求項５に記載の呼制御システム。
【請求項７】
データベース装置とプレゼンスサーバ装置と呼接続サーバ装置と災害通知サーバ装置とを有し、ユーザ端末のアドレス情報と前記ユーザ端末の位置情報と前記ユーザ端末のユーザが呼の接続を行う通知相手ユーザ端末のアドレス情報とを関連付けて予め前記データベース装置に登録しておき、災害時に前記登録に基づいて前記ユーザ端末と前記通知相手ユーザ端末との間の呼の接続を行う呼制御システムにおいて用いられる災害通知サーバ装置であり、
前記災害通知サーバ装置が、
前記位置情報が前記災害地域情報受信手段の受信した災害地域情報の地域に含まれる通知登録ユーザ情報リストを抽出通知登録ユーザ情報リストとして前記プレゼンスサーバ装置を介して前記データベース装置から抽出し取得する抽出取得手段と、
前記抽出取得手段が抽出し取得した抽出通知登録ユーザ情報リストに含まれるユーザ端末のアドレス情報の端末と通知相手ユーザ端末のアドレス情報の端末との間の呼の接続を前記呼接続サーバ装置を用いて行う災害地域内端末呼接続手段、
を有することを特徴とする災害通知サーバ装置。
【発明の詳細な説明】
【技術分野】
【０００１】
本発明は、災害時安全確認通知システムに関し、より詳細には、ユーザが通知相手ユーザと災害時において安全確認の連絡を行うことを事前に登録し、ユーザの位置で災害が発生した場合に、ユーザと通知相手ユーザとが互いに合意する連絡手段によりリアルタイムに安全確認の連絡を行う技術に関する。
【背景技術】
【０００２】
災害が発生すると、災害地域に住むあるいは滞在する人の安否を確認するための見舞い呼が、短い時間内に大量に集中的に通信ネットワークにおいて生じることにより、通信ネットワークは輻輳状態になる。
従来においては、災害が発生すると、このような見舞い呼による輻輳により通信ネットワークがシステムダウンすることを防ぐために、セッション設定装置などにより通信ネットワークの状態、例えばセッション設定装置におけるセッション受付数を監視し、ユーザ端末による通信ネットワークヘのアクセスを規制するという技術はあった（特許文献１および特許文献２）。
しかしながら、従来技術による災害の発生により通信ネットワークへのアクセスが規制されると、災害地の関係者の安否確認を希望するユーザの通信要求を満たし得ず、また災害周辺地域における通信をも阻害するという問題があった。
【特許文献１】特開２００３−３３８８７７号公報
【特許文献２】特開２００５−１６７７７１号公報
【発明の開示】
【発明が解決しようとする課題】
【０００３】
本発明は、このような事情に鑑みてなされたもので、その目的は、災害の発生時に安全確認の通知を行うことを事前に登録し、ユーザ端末間の安全確認の通知のための連絡手段を確保する呼制御システムおよび災害通知サーバ装置を提供することにある。
【課題を解決するための手段】
【０００４】
この発明は上述した課題を解決するためになされたもので、請求項１に記載の発明は、データベース装置とプレゼンスサーバ装置と呼接続サーバ装置と災害通知サーバ装置とを有し、ユーザ端末のユーザが呼の接続を行う通知相手ユーザ端末を予め前記データベース装置に登録しておき、災害時に前記登録に基づいて前記ユーザ端末と前記通知相手ユーザ端末との間の呼の接続を行う呼制御システムであり、前記データベース装置が、前記ユーザ端末のアドレス情報と前記ユーザ端末の位置情報と前記通知相手ユーザ端末のアドレス情報とを関連付けて通知登録ユーザ情報リストとして記憶する記憶手段、を有し、前記災害通知サーバ装置が、災害の地域を示す災害地域情報を受信する災害地域情報受信手段と、前記災害地域情報受信手段が受信した災害地域情報を前記プレゼンスサーバ装置へ送信する照会要求手段と、前記送信した災害地域情報の応答である抽出通知登録ユーザ情報リストを前記プレゼンスサーバ装置から受信し、前記受信した抽出通知登録ユーザ情報リストを呼接続サーバ装置へ送信する抽出通知登録ユーザ情報リスト受信送信手段と、を有し、前記プレゼンスサーバ装置が、前記災害地域情報を前記災害通知サーバ装置から受信し、前記位置情報が前記災害地域情報の地域に含まれる通知登録ユーザ情報リストを抽出通知登録ユーザ情報リストとして前記データベース装置から抽出し、前記抽出通知登録ユーザ情報リストを前記災害通知サーバ装置へ送信する抽出手段、を有し、前記呼接続サーバ装置が、前記抽出通知登録ユーザ情報リストを前記災害通知サーバ装置から受信し、前記受信した抽出通知登録ユーザ情報リストに含まれるユーザ端末のアドレス情報の端末と通知相手ユーザ端末のアドレス情報の端末との間の呼の接続を行う呼接続手段、を有することを特徴とする呼制御システムである。
【０００５】
請求項２に記載の発明は、前記呼接続サーバ装置からの通信接続に提供可能な経路と帯域の照会に応じて提供可能な経路と帯域の情報である提供可能経路帯域情報を前記呼接続サーバ装置へ送信する提供可能経路帯域情報送信手段、を有する通信ネットワーク監視サーバ装置と、前記呼接続サーバ装置からの通信接続に提供可能なサービス種別の照会に応じて提供可能なサービス種別の情報である提供可能サービス種別情報を前記呼接続サーバ装置へ送信する提供可能サービス種別情報送信手段、を有するアプリケーションサーバ装置と、を更に有し、前記呼接続サーバ装置が、更に、前記受信した抽出通知登録ユーザ情報リストに含まれるユーザ端末のアドレス情報の端末と通知相手ユーザ端末のアドレス情報の端末との間の呼の接続について提供可能な経路と帯域を通信ネットワーク監視サーバ装置へ照会し、前記通信ネットワーク監視サーバ装置から提供可能な経路と帯域の情報である提供可能経路帯域情報を受信する提供可能経路帯域情報取得手段と、前記受信した抽出通知登録ユーザ情報リストに含まれるユーザ端末のアドレス情報の端末と通知相手ユーザ端末のアドレス情報の端末との間の呼の接続について提供可能なサービス種別をアプリケーションサーバ装置へ照会し、前記アプリケーションサーバ装置から提供可能なサービス種別の情報である提供可能サービス種別情報を受信する提供可能サービス種別情報取得手段と、を有し、前記呼接続手段が、前記提供可能経路帯域情報取得手段が受信した提供可能経路帯域情報と前記提供可能サービス種別情報取得手段が受信した提供可能サービス種別情報とに基づいて、前記受信した抽出通知登録ユーザ情報リストに含まれるユーザ端末のアドレス情報の端末と通知相手ユーザ端末のアドレス情報の端末との間の呼の接続を行う、ことを特徴とする請求項１に記載の呼制御システムである。
【０００６】
請求項３に記載の発明は、前記データベース装置の記憶手段が、前記ユーザ端末のアドレス情報と前記ユーザ端末の位置情報と前記通知相手ユーザ端末のアドレス情報と、更に、連絡手段情報とを関連付けて前記通知登録ユーザ情報リストとして記憶し、前記呼接続サーバ装置の前記呼接続手段が、前記連絡手段情報を含む前記抽出通知登録ユーザ情報リストを前記災害通知サーバ装置から受信し、前記災害通知サーバ装置から受信した抽出通知登録ユーザ情報リストの連絡手段情報と前記提供可能サービス種別情報取得手段が受信した提供可能サービス種別情報とに基づいて、提供可能な連絡手段を選択し、前記選択した連絡手段のリストを前記通知相手ユーザ端末のアドレス情報の端末へ送信し、前記送信した連絡手段のリストの中から選択された連絡手段を前記通知相手ユーザ端末のアドレス情報の端末から受信し、前記受信した連絡手段に基づいて、前記受信した抽出通知登録ユーザ情報リストに含まれるユーザ端末のアドレス情報の端末と通知相手ユーザ端末のアドレス情報の端末との間の呼の接続を行う、ことを特徴とする請求項２に記載の呼制御システムである。
【０００７】
請求項４に記載の発明は、前記プレゼンスサーバ装置が、前記データベース装置に記憶されている通知登録ユーザ情報リストの前記ユーザ端末の合計数と連絡手段の内訳と内訳毎の合計数とを含む通知登録ユーザ情報総括表情報を生成し、前記生成した通知登録ユーザ情報総括表情報を前記呼接続サーバ装置と前記通信ネットワーク監視サーバ装置と前記アプリケーションサーバ装置とに送信する通知登録ユーザ情報総括表情報生成送信手段を有し、前記呼接続サーバ装置が、前記プレゼンスサーバ装置から前記通知登録ユーザ情報総括表情報を受信し、前記受信した通知登録ユーザ情報総括表情報に基づいて通知接続のためのセッション数を決定し、前記抽出通知登録ユーザ情報リストを前記災害通知サーバ装置から受信した時に、前記決定したセッション数に基づいて通知接続を確保するセッション通知接続確保手段を有し、前記通信ネットワーク監視サーバ装置が、前記プレゼンスサーバ装置から前記通知登録ユーザ情報総括表情報を受信し、前記受信した通知登録ユーザ情報総括表情報に基づいて通知接続のための帯域と経路を決定し、前記呼接続サーバ装置からの通信接続に提供可能な経路と帯域の照会に応じて、前記決定した通知接続のための帯域と経路に基づいて通知接続を確保する帯域経路通知接続確保手段を有し、前記アプリケーションサーバ装置が、前記プレゼンスサーバ装置から前記通知登録ユーザ情報総括表情報を受信し、前記受信した通知登録ユーザ情報総括表情報に基づいて通知接続のためのサービス種別を決定し、前記呼接続サーバ装置からの通信接続に提供可能なサービス種別の照会に応じて、前記決定した通知接続のためのサービス種別に基づいて通知接続を確保するサービス種別通知接続確保手段を有し、前記呼接続手段が、前記セッション通知接続確保手段と前記帯域経路通知接続確保手段と前記サービス種別通知接続確保手段とが確保する通信接続に基づいて、前記受信した抽出通知登録ユーザ情報リストに含まれるユーザ端末のアドレス情報の端末と通知相手ユーザ端末のアドレス情報の端末との間の呼の接続を行う、ことを特徴とする請求項２から請求項３に記載の呼制御システムである。
【０００８】
請求項５に記載の発明は、前記呼接続手段が、前記ユーザ端末のアドレス情報の端末を呼び出し前記通知相手ユーザ端末のアドレス情報の端末を呼び出すことにより、前記受信した抽出通知登録ユーザ情報リストに含まれるユーザ端末のアドレス情報の端末と通知相手ユーザ端末のアドレス情報の端末との間の呼の接続を行う、ことを特徴とする請求項１から請求項４に記載の呼制御システムである。
【０００９】
請求項６に記載の発明は、前記連絡手段が、ＩＰ電話、ＴＶ電話、チャット通信または開封確認付き電子メールのいずれかであることを特徴とする請求項３から請求項５に記載の呼制御システムである。
【００１０】
請求項７に記載の発明は、データベース装置とプレゼンスサーバ装置と呼接続サーバ装置と災害通知サーバ装置とを有し、ユーザ端末のアドレス情報と前記ユーザ端末の位置情報と前記ユーザ端末のユーザが呼の接続を行う通知相手ユーザ端末のアドレス情報とを関連付けて予め前記データベース装置に登録しておき、災害時に前記登録に基づいて前記ユーザ端末と前記通知相手ユーザ端末との間の呼の接続を行う呼制御システムにおいて用いられる災害通知サーバ装置であり、前記災害通知サーバ装置が、前記位置情報が前記災害地域情報受信手段の受信した災害地域情報の地域に含まれる通知登録ユーザ情報リストを抽出通知登録ユーザ情報リストとして前記プレゼンスサーバ装置を介して前記データベース装置から抽出し取得する抽出取得手段と、前記抽出取得手段が抽出し取得した抽出通知登録ユーザ情報リストに含まれるユーザ端末のアドレス情報の端末と通知相手ユーザ端末のアドレス情報の端末との間の呼の接続を前記呼接続サーバ装置を用いて行う災害地域内端末呼接続手段、を有することを特徴とする災害通知サーバ装置である。
【発明の効果】
【００１１】
この発明によれば、予めユーザ端末と通知相手ユーザ端末との間で安全確認の通知を行うことを事前に登録しておき、災害の発生時に、災害地に位置するユーザ端末を検出し、検出したユーザ端末と予め登録した通知相手ユーザ端末との間の安全確認のための通信を行い、また、可能な通信手段を用いてユーザ端末間の通信を提供するため、災害の発生により通信ネットワークに輻輳が生じてもユーザ間の通信を確保できるという効果を奏する。
【発明を実施するための最良の形態】
【００１２】
まず、本発明の概要を説明する。
本発明による呼制御システムは、データベース装置とプレゼンスサーバ装置と呼接続サーバ装置（ＳＩＰサーバ）と災害通知サーバ装置とを有し、ユーザ端末のユーザが呼の接続を行う通知相手ユーザ端末を予め前記データベース装置に登録しておき、災害時に前記登録に基づいて前記ユーザ端末と前記通知相手ユーザ端末との間の呼の接続を行う。
【００１３】
また、本発明による呼制御システムにおいては、前記データベース装置が、前記ユーザ端末のアドレス情報と前記ユーザ端末の位置情報と前記通知相手ユーザ端末のアドレス情報とを関連付けて通知登録ユーザ情報リストとして記憶する記憶手段、を有している。
【００１４】
また、本発明による呼制御システムにおいては、前記災害通知サーバ装置が、災害の地域を示す災害地域情報を受信する災害地域情報受信手段と、前記災害地域情報受信手段が受信した災害地域情報を前記プレゼンスサーバ装置へ送信する照会要求手段と、前記送信した災害地域情報の応答である抽出通知登録ユーザ情報リストを前記プレゼンスサーバ装置から受信し、前記受信した抽出通知登録ユーザ情報リストを呼接続サーバ装置へ送信する抽出通知登録ユーザ情報リスト受信送信手段と、を有している。
【００１５】
また、本発明による呼制御システムにおいては、前記プレゼンスサーバ装置が、前記災害地域情報を前記災害通知サーバ装置から受信し、前記通知登録ユーザ情報リストの位置情報が前記災害地域情報の地域に含まれる抽出通知登録ユーザ情報リストを前記データベース装置から抽出し、前記抽出した抽出通知登録ユーザ情報リストを前記災害通知サーバ装置へ送信する抽出手段、を有している。
【００１６】
また、本発明による呼制御システムにおいては、前記呼接続サーバ装置が、前記抽出通知登録ユーザ情報リストを前記災害通知サーバ装置から受信し、前記受信した抽出通知登録ユーザ情報リストに含まれるユーザ端末のアドレス情報の端末と通知相手ユーザ端末のアドレス情報の端末との間の呼の接続を行う呼接続手段、を有する。
【００１７】
以下、図面を参照して、本発明の実施の形態について説明する。図１は、この発明の一実施形態による呼制御システムの構成を示す概略ブロック図である。
図１で、１は災害検出サーバ、２は災害通知サーバ、３はプレゼンスサーバ、４はデータベース、５はＳＩＰサーバ、６は通信ネットワーク監視サーバ、７はアプリケーションサーバ、８−１および８−２はユーザ端末、９は通信ネットワーク、１０は情報収集装置であり、Ａ１は災害地域の地域を示している。
【００１８】
災害検出サーバ１は、情報収集装置１０および災害通知サーバ２と接続する。
災害通知サーバ２は、災害検出サーバ１、プレゼンスサ−バ３およびＳＩＰサーバ５と接続する。
プレゼンスサーバ３は、災害通知サーバ２、データベース４、ＳＩＰサーバ５、通信ネットワーク監視サーバ６およびアプリケーションサーバ７と接続する。
データベース４はプレゼンスサーバ３と接続する。
【００１９】
ＳＩＰサーバ５は、災害通知サーバ２、プレゼンスサーバ３、通信ネットワーク監視サーバ６、アプリケーションサーバ７、ユーザ端末８−１および８−２と接続する。
通信ネットワーク監視サーバ６は、ＳＩＰサーバ５およびプレゼンスサーバ３と接続する。
アプリケーションサーバ７は、ＳＩＰサーバ５およびプレゼンスサーバ３と接続する。
ユーザ端末８−１および８−２は、ＳＩＰサーバ５と接続する。
【００２０】
通信ネットワーク９は、災害検出サーバ１、災害通知サーバ２、プレゼンスサーバ３、データベース４、ＳＩＰサーバ５、通信ネットワーク監視サーバ６、アプリケーションサーバ７、ユーザ端末８−１およびユーザ端末８−２の間を接続する。
【００２１】
なお図１においては、災害検出サーバ１は、１つの情報収集装置１０と接続しているが、実際には複数の情報収集装置１０と接続する。
また、図１においては、防災検知サーバ２は、１つの災害検出サーバ１と接続しているが、実際には複数の災害検出サーバ１と接続する。
また、図１においては、プレゼンスサーバ３、ＳＩＰサーバ５、通信ネットワーク監視サーバ６およびアプリケーションサーバ７は１つずつあるが、実際には、複数のプレゼンスサーバ３、ＳＩＰサーバ５、通信ネットワーク監視サーバ６およびアプリケーションサーバ７がある。
【００２２】
次に図１に示した呼制御システムの各構成の機能を説明する。
ユーザ端末８−１および８−２は、それぞれＳＩＰサーバ５に接続し収容されており、ＳＩＰサーバ５を介して、ＩＰ電話、ＴＶ電話、チャット通信または開封確認付き電子メールにより、ユーザ端末間での通信を行う通信機能を有する。
また、ユーザ端末８−１および８−２は、携帯型である場合には、ＧＰＳなどの位置検出機能を有しており、検出した位置の情報である位置情報を、ＳＩＰサーバ５を介してプレゼンスサーバ３へ送信する機能を有する。
ユーザ端末８−１および８−２は、例えば、ユーザが用いる固定または携帯の端末であり、ＩＰ電話、携帯電話、据え置き型のパーソナルコンピュータ、携帯型のパーソナルコンピュータまたは携帯情報端末（ＰＤＡ）などである。
【００２３】
データベース４は、災害時における端末間を接続するための情報である通知登録ユーザ情報リストを記録する機能を有する。また、この通知登録ユーザ情報リストには端末の位置情報も記録される。またデータベース４は、プレゼンスサーバ３と接続し、プレゼンスサーバ３へのデータの登録機能と、プレゼンスサーバ３からのデータの参照機能と、を有する。
【００２４】
データベース４が記録する通知登録ユーザ情報リストは、図２に示すように、複数のリスを含み、それぞれのリストには、登録ユーザのユーザＩＤ、氏名、災害発生時の安全確認の通知に使用を希望する連絡手段である希望連絡手段（希望ＣＭ）、希望ＣＭのアドレスである連絡手段アドレス（ＣＭＡＤ１）、複数の他に使用可能な連絡手段である可能連絡手段（可能ＣＭ）、可能ＣＭのアドレスである可能連絡手段アドレス（可能ＣＭＡＤ）、位置情報、および、通知相手ユーザのアドレスである連絡手段アドレス（ＣＭＡＤ２）がある。また、それぞれのリストには、処理が未処理（未）であるか処理済（済）であるかを示す処理欄がある。
【００２５】
ここで、連絡手段とは、端末を用いて行う通信手段であり、例えば、ＩＰ電話（Ｔ）、ＴＶ電話（ＴＶ）、チャット通信（Ｃ）、開封確認付き電子メール（Ｍ）である。
またここで、登録ユーザの位置情報とは、端末の経緯度の情報であり、北緯（Ｎ）と東経（Ｅ）により示す位置の情報である。
例えば、端末が携帯端末の場合、端末は、端末が有するＧＰＳ機能により得られた位置情報を、ＳＩＰサーバ５とプレゼンスサーバ３を介して、データベース４に送信する。そして、データベース４が、端末からの位置情報を登録する。
また例えば、端末が固定端末の場合には、登録時に、登録ユーザの住所等から端末が設置される位置情報が記録される。
【００２６】
図１の構成の説明に戻り、プレゼンスサーバ３は、データベース４と接続し、データベース４へのデータの登録機能とデータの参照機能とを有する。また、データベース４から参照するデータにおいて、特定の条件に該当するデータを抽出する抽出機能を有する。
例えば、プレゼンスサーバ３は、通知登録ユーザ情報リストの位置情報において、一定の範囲の地域を示す地域情報に該当する位置情報のリストを、データベース４から抽出する抽出機能を有する。
【００２７】
また、プレゼンスサーバ３は、ＳＩＰサーバ５を介して、ユーザ端末８−１または８−２から、災害時に行う安全確認のための情報である通知ユーザ希望情報を受信し、受信した通知ユーザ希望情報に通知希望ユーザのＩＤを加えた通知登録ユーザ情報リストを、データベース４に登録する機能を有する。
また、プレゼンスサーバ３は、災害時に安全確認の通知接続のために確保する通信資源（後述のセッション受付数、経路、帯域、通知サービス種別）のための通知登録ユーザ情報総括表情報を生成し、ＳＩＰサーバ５、通信ネットワークサーバ６とアプリケーションサーバ７へ送信する機能を有する。
【００２８】
ここで、プレゼンスサーバ３がＳＩＰサーバ５を介してユーザ端末８−１または８−２から受信する通知ユーザ希望情報通知ユーザ希望情報は、図２の通知登録ユーザ情報リストにおいてユーザＩＤが無い情報であり、通知ユーザ希望情報通知ユーザ希望情報には、登録ユーザの氏名、希望連絡手段（希望ＣＭ）、希望ＣＭの連絡手段アドレス（ＣＭＡＤ１）、複数の可能連絡手段（可能ＣＭ）、可能ＣＭの可能連絡手段アドレス（可能ＣＭＡＤ）、位置情報、および、通知相手ユーザの連絡手段のアドレス（ＣＭＡＤ２）が含まれる。
【００２９】
またここで、プレゼンスサーバ３が生成し送信する通知登録ユーザ情報総括表は、図３に示すように、データベース４に登録される通知登録ユーザ情報リストの登録ユーザ情報において、安全確認の通知登録ユーザ数と、希望連絡手段の内訳と内訳毎の合計数とを含む情報である。
プレゼンスサーバ３は、例えば、プレゼンスサーバ３がデータベース４に通知登録ユーザ情報リストの登録または更新を行った後に、登録されている通知登録ユーザ情報リストから通知登録ユーザ数と、希望連絡手段の内訳と内訳毎の合計数とをデータベース４から求めることにより、通知登録ユーザ情報総括表を生成し、これをＳＩＰサーバ５、通信ネットワークサーバ６とアプリケーションサーバ７へ送信する。
【００３０】
また、プレゼンスサーバ３は、災害通知サーバ２からの、災害の地域の情報である災害地域情報を含む通知登録ユーザ情報リストの照会要求を受信し、データベース４から登録ユーザ情報の位置情報が災害地域情報に含まれる通知登録ユーザ情報リストを抽出し、抽出した通知登録ユーザ情報リストを抽出通知登録ユーザ情報リストとして災害通知サーバ２へ送信する機能を有する。
【００３１】
情報収集装置１０は、災害を検出し、検出した災害の情報を示す災害情報を、情報収集装置１０が接続する災害検知サーバ１へ送信する機能を有する。また、それぞれの情報収集装置１０には、予め災害を検出する地域が定められている。ここで地域は、例えば、東経と西経により決められる範囲である。
また、ここでいう災害とは、地震、天候、津波などの天災や、火災、治安（人災）などである。例えば、地震においては、地震計が震度を計測しており、地震計が震度５以上を検出した場合には、地震計が情報収集装置１０へ地震検出信号を送信する。報収集装置１０は、地震計から地震検出信号を受信すると、災害情報を災害検出サーバ１へ送信する。または、情報収集装置１０は、人による災害情報の入力を受け付け、入力された災害情報を災害検出サーバ１へ送信する。
【００３２】
災害検出サーバ１は、複数の情報収集装置１０から災害情報を受信し、受信した災害情報より災害の地域を特定し、特定した災害の地域の情報である災害地域情報を、災害検出サーバ１が接続されている災害通知サーバ２へ送信する機能を有する。
【００３３】
災害通知サーバ２は、災害検出サーバ１より災害地域の情報である災害地域情報を受信し、受信した災害地域情報を含んだ通知登録ユーザ情報リストの照会要求をプレゼンスサーバ３へ送信し、プレゼンスサーバ３から災害地域情報に該当する通知登録ユーザ情報リストである抽出通知登録ユーザ情報リストを受信し、受信した抽出通知登録ユーザ情報リストをＳＩＰサーバ５へ送信する機能を有する。
また、災害通知サーバ２は、抽出通知登録ユーザ情報リストに基づく端末間の接続が完了した通知を、ＳＩＰサーバ５から受信する機能を有する。
【００３４】
ＳＩＰサーバ５は、ユーザ端末８−１と８−２との間のＩＰ電話による通信を提供する機能を有する。また、ＳＩＰサーバ５は、提供可能な通知サービス種別をアプリケーションサーバ７へ問い合わせ、提供可能な通知サービス種別の情報をアプリケーションサーバ７から受信し、受信した通知サービス種別の情報に基づいて、ユーザ端末８−１と８−２との間のＴＶ電話、チャット通信または開封確認付き電子メールを提供する機能を有する。
なお、ここでいう「提供可能な通信資源（例えば、通知サービス種別）」とは、例えば、アプリケーションサーバ７が有する通信資源のうち、これから通信を確立するために利用可能な通信資源である。
【００３５】
また、ＳＩＰサーバ５は、災害通知サーバ２から抽出通知登録ユーザ情報リストを受信し、受信した抽出通知登録ユーザ情報リストに基づき、端末間で提供可能な経路と帯域を通信ネットワーク監視サーバ６へ照会し取得し、また、端末間で提供可能な通知サービス種別をアプリケーションサーバ７へ照会し取得し、取得した端末間で提供可能な経路と帯域と通知サービス種別に基づいて、端末間の通信を行う機能を有する。
また、ＳＩＰサーバ５は、抽出通知登録ユーザ情報リストに基づき、ユーザ端末同士を呼び出し、ユーザ端末間の通信を接続する機能を有する。
【００３６】
また、ＳＩＰサーバ５は、プレゼンスサーバ３から通知登録ユーザ情報総括表情報を受信し、受信した通知登録ユーザ情報総括表情報の情報に基づいて、通知接続のためのセッション受付数を決定する機能を有する。なお、セッション受付数とは、通信のためのセッションを確立することが可能である数である。
また、ＳＩＰサーバ５は、災害通知サーバ２から抽出通知登録ユーザ情報リストを受信した時に、予め決定した通知接続のためのＳＩＰサーバ５の通信のセッション受付数を確保する機能を有する。
また、ＳＩＰサーバ５は、抽出通知登録ユーザ情報リストの端末間の通信の終了に応じて、確保したＳＩＰサーバ５の通信のセッション受付数を開放する機能を有する。
【００３７】
また、ＳＩＰサーバ５は、抽出通知登録ユーザ情報リストの端末間の通信の終了に応じて、災害通知サーバ２へ通信終了の信号を送信する機能を有する。
また、ＳＩＰサーバ５は、抽出通知登録ユーザ情報リストの端末間の通信の終了に応じて、通信ネットワーク監視サーバ６へ確保した通信の経路と帯域を開放する経路帯域開放情報を送信する機能を有する。
また、ＳＩＰサーバ５は、抽出通知登録ユーザ情報リストの端末間の通信の終了に応じて、アプリケーションサーバ７へ、確保した通信の通知サービス種別を開放する通知サービス開放情報を送信する機能を有する。
【００３８】
通信ネットワーク監視サーバ６は、ネットワーク９における経路と帯域を監視しており、ＳＩＰサーバ５からのユーザ端末８−１と８−２との間の通信接続に提供可能な経路と帯域の照会に応じて、提供可能な経路と帯域の情報をＳＩＰサーバ５へ送信する機能を有する。
【００３９】
また、通信ネットワーク監視サーバ６は、プレゼンスサーバ３から通知登録ユーザ情報総括表情報を受信し、受診した通知登録ユーザ情報総括表情報に基づいて、通知接続のために確保する経路と帯域を決定する機能を有する。
また通信ネットワーク監視サーバ６は、ＳＩＰサーバ５から通知接続のための提供可能な経路と帯域の照会の情報を受信したときに、予め決定した通知接続のための経路と帯域を確保する機能を有する。
また、通信ネットワーク監視サーバ６は、ＳＩＰサーバ５からの経路帯域開放情報の受信に応じて、確保した経路と帯域を開放する機能を有する。
【００４０】
アプリケーションサーバ７は、ＳＩＰサーバ５を介して、端末間のＴＶ電話、チャット通信または開封確認付き電子メールを提供する機能を有する。また、アプリケーションサーバ７は、ＳＩＰサーバ５からのユーザ端末８−１と８−２との間の通信接続に提供可能な経路と帯域の照会に応じて、提供可能な通知サービス種別の情報をＳＩＰサーバ５へ送信する機能を有する。
【００４１】
また、アプリケーションサーバ７は、プレゼンスサーバ３から通知登録ユーザ情報総括表情報を受信し、受信した通知登録ユーザ情報総括表情報の情報に基づいて、通知接続のために確保する通知サービス種別を決定する機能を有する。
また、アプリケーションサーバ７は、ＳＩＰサーバ５から通知接続のための提供可能な通知サービス種別の照会の情報を受信したときに、予め決定した通知接続のための通知サービス種別を確保する機能を有する。
また、アプリケーションサーバ７は、ＳＩＰサーバ５からの通知サービス種別開放情報の受信に応じて、確保した通知サービス種別を開放する機能を有する。
【００４２】
以上の機能において説明したように、ＳＩＰサーバ５と通信ネットワーク監視サーバ６とアプリケーションサーバ７は、災害時における通知接続のための、セッション受付数と、帯域と経路と、通知サービス種別とをそれぞれ確保し、確保した通知接続を用いて、抽出通知登録ユーザ情報リストに登録されている登録ユーザ情報の端末と通知相手ユーザの端末との間の通信の接続を行う。
【００４３】
次に、図４と５を用いて、実施の形態における呼制御システムの動作を説明する。
ここでは、平常時においてユーザ端末８−２が、災害発生時にはユーザ端末８−１と接続するように災害時通知サービスの登録を行っており、災害発生時に、ユーザ端末８−２が災害地域Ａ１の地域内に位置し、本実施形態による呼制御システムが災害を検知しユーザ端末８−２とユーザ端末８−１との間の通信の接続を行う場合について説明する。
【００４４】
まず、図４を用いて、平常時に、ユーザがユーザ端末８−２を用いて、災害時における通知登録を行う処理の流れを説明する。また、ＳＩＰサーバ５と通信ネットワーク監視サーバ６とアプリケーションサーバ７との間の、通常時の動作の概説も行う。
【００４５】
ＳＩＰサーバ５は通信接続の開始および終了に際し、セッション受付数を更新し、通信ネットワーク監視サーバ６へ使用可能な経路と帯域を照会し、通信ネットワーク監視サーバ６はＳＩＰサーバ５による照会および通信接続終了の通報を契機として使用可能な経路と帯域を更新する（ステップＳ１）。
【００４６】
また、ＳＩＰサーバ５はアプリケーションサーバ７へ使用可能な通知サービス種別を照会し、アプリケーションサーバ７はＳＩＰサーバ５による照会および通信接続終了の通報を契機として使用可能な通知サービス種別を更新する（ステップＳ２）。
【００４７】
まず、通知登録ユーザであるユーザは、自身の端末であるユーザ端末８−２を用いて、ＳＩＰサーバ５を介して、プレゼンスサーバ３へ、氏名、災害発生時の安全確認の通知に使用を希望する連絡手段（希望ＣＭ）、連絡手段のアドレス（ＣＭＡＤ１）、他に使用可能な連絡手段（可能ＣＭ）、可能ＣＭのアドレス（可能ＣＭＡＤ）、および、通知相手ユーザのアドレス（ＣＭＡＤ２）を含む安全確認の通知希望ユーザ情報（図２参照）を送信する（ステップＳ３）。
【００４８】
プレゼンスサーバ３は、ＳＩＰサーバ５を介してユーザ端末８−２からの通知希望ユーザ情報を受信し、受信した通知希望ユーザ情報に基づき、受信した通知希望ユーザ情報に通知希望ユーザのユーザＩＤを加えた安全確認の通知登録ユーザ情報リスト（図２参照）をデータベース４に登録し、安全確認の通知登録ユーザ数と通知登録ユーザが希望する連絡手段の内訳と内訳毎の合計数を含む通知登録ユーザ情報総括表（図３参照）を生成する（ステップＳ４）。
なお、プレゼンスサーバ３が、データベース４へ登録する通知登録ユーザ情報リストにおいては、処理欄が未処理（未）である。
【００４９】
次にプレゼンスサーバ３はＳＩＰサーバ５へ生成した通知登録ユーザ情報総括表情報を送信し、ＳＩＰサーバ５は受信した通知登録ユーザ情報総括表情報に基づき災害発生時の通知接続に確保するセッション受付数を決定する（ステップＳ５）。
【００５０】
次にプレゼンスサーバ３は通信ネットワーク監視サーバ６へ生成した通知登録ユーザ情報総括表情報を送信し、通信ネットワーク監視サーバ６は受信した通知登録ユーザ情報総括表情報に基づき災害発生時の通知接続に確保する帯域と経路を決定する（ステップＳ６）。
【００５１】
次にプレゼンスサーバ３はアプリケーションサーバ７へ生成した通知登録ユーザ情報総括表情報を送信し、アプリケーションサーバ７は受信した通知登録ユーザ情報総括表情報に基づき災害発生時の通知接続に確保する通知サービス種別を決定する（ステップＳ７）。
【００５２】
次に、図５を用いて、災害発生時に、平常時に登録していた通知登録ユーザ情報リストに基づいて、本実施の形態による呼制御システムがユーザ端末８−２とユーザ端末８−１との間の接続を行う処理の流れを説明する。
【００５３】
まず、災害検出サーバ１は災害発生地域に存在する情報収集装置１０から発生した災害に関する災害情報を受信する（ステップＳ８）。
次に、災害検出サーバ１は情報収集装置１０から受信した災害情報に基づき、災害地域を特定し、特定した災害地域情報を災害通知サーバ２へ送信する（ステップＳ９）。
【００５４】
次に、災害地域情報を受信した災害通知サーバ２は、受信した災害地域情報を含んだ通知登録ユーザ情報リストの照会要求をプレゼンスサーバ３へ送信する（ステップＳ１０）。
【００５５】
災害通知サーバ２からの災害地域情報を含んだ通知登録ユーザ情報リストの照会要求を受信したプレゼンスサーバ３は、災害通知サーバ２から受信した照会要求に基づき、データベース４から通知登録ユーザ情報リストを抽出通知登録ユーザ情報リストとして抽出し取得する（ステップＳ１１）。ここで、抽出通知登録ユーザ情報リストには、データベース４の通知登録ユーザ情報リストにおいて、登録ユーザ情報の位置情報の位置が災害地域情報の地域に含まれるリストのみが含まれている。
【００５６】
次に、プレゼンスサーバ３は、抽出通知登録ユーザ情報リストを災害通知サーバ２へ送信する（ステップＳ１２）。
【００５７】
次に、抽出通知登録ユーザ情報リストを受信した災害通知サーバ２は、抽出通知登録ユーザ情報リストをＳＩＰサーバ５へ送信する（ステップＳ１３）。これにより、災害通知サーバ２はＳＩＰサーバ５へ、災害地に位置する通知登録ユーザが希望する連絡手段により、通知登録ユーザと通知相手ユーザとの間の通信を順次接続する指示を出す。
【００５８】
次に、災害通知サーバ２からの抽出通知登録ユーザ情報リストを受信したＳＩＰサーバ５は、受信した抽出通知登録ユーザ情報リストに従い、通信ネットワーク監視サーバ６へ、通知登録ユーザの端末であるユーザ端末８−２と通知相手ユーザの端末であるユーザ端末８−１との間の安全確認の通知接続に提供可能な経路と帯域を照会し、通信ネットワーク監視サーバ６はＳＩＰサーバ５による照会に応答し、確保する安全確認の通知接続に提供可能な経路と帯域を更新する（ステップＳ１４）。
【００５９】
次に、ＳＩＰサーバ５は、受信した抽出通知登録ユーザ情報リストに従い、アプリケーションサーバ７へ、通知登録ユーザの端末であるユーザ端末８−２と通知相手ユーザの端末であるユーザ端末８−１との間の通知接続に提供可能な通知サービス種別を照会し、アプリケーションサーバ７はＳＩＰサーバ５による照会に応答し、確保する安全確認の通知接続に提供可能なサービス種別を更新する（ステップＳ１５）。
【００６０】
次に、アプリケーションサーバ７からの通知接続に提供可能な通知サービス種別を受診したＳＩＰサーバ５は、受診した通知サービス種別と抽出通知登録ユーザ情報リストの連絡手段に基づき、通知登録ユーザが希望する通知相手ユーザのユーザ端末８−１に、提供可能であり通知登録ユーザが希望する連絡手段のリストを送信する。
次に、連絡手段のリストを受診したユーザ端末８−１は連絡手段のリストをユーザに提示し、ユーザからの連絡手段の選択の入力を受け付け、ユーザにより選択入力された連絡手段の情報である選択連絡手段情報をＳＩＰサーバ５に送信する。
次に、ＳＩＰサーバ５は、ユーザ端末８−１から、送信した連絡手段のリストに対する選択連絡手段情報を通知相手ユーザ端末８−１から受信する（ステップＳ１６）。
この選択連絡手段情報により、ＳＩＰサーバ５は、通知登録ユーザであるユーザ端末８−１のユーザが希望し、通知ユーザであるユーザ端末８−２のユーザが希望し、かつ、アプリケーションサーバ７が提供可能である、連絡手段を決定することができる。
【００６１】
次に、ＳＩＰサーバ５は、通信ネットワーク監視サーバ６から受信した安全確認の通知接続に提供可能な経路と帯域と、選択連絡手段情報とに基づいて、通知登録ユーザ端末８−２を通知接続へ呼び出し、確保するセッション数を更新する（ステップＳ１７）。
【００６２】
次に、ＳＩＰサーバ５は、通信ネットワーク監視サーバ６から受信した安全確認の通知接続に提供可能な経路と帯域と、選択連絡手段情報とに基づいて、通知相手ユーザ端末８−１を通知接続へ呼び出し、確保するセッション数を更新する（ステップＳ１８）。
【００６３】
ＳＩＰサーバ５はユーザ端末８−２または８−１から接続終了信号を受信し、通知接続の経路を開放し、確保するセッション受付数を更新する（ステップＳ１９）。
【００６４】
ＳＩＰサーバ５は災害通知サーバ２へ通知サービスの終了を通報し、災害通知サーバ２は、通知登録ユーザ情報リストの通知接続を処理済とする（ステップＳ２０）。
【００６５】
ＳＩＰサーバ５は通信ネットワーク監視サーバ６へ通知接続の経路開放を通報し、通信ネットワーク監視サーバ６は確保する安全確認の通知接続に提供可能な経路と帯域を更新する（ステップＳ２１）。
【００６６】
ＳＩＰサーバ５はアプリケーションサーバ７へ通知サービスの終了を通報し、アプリケーションサーバ７は確保する安全確認の通知接続に提供可能なサービス種別を更新する（ステップＳ２２）。
【００６７】
なお、ＳＩＰサーバ５は、災害時における通知接続のための、セッション受付数を確保するとして説明したが、その確保の方法は、例えば、以下のようにして行う。
例えば、ＳＩＰサーバ５は、ＳＩＰサーバ５の有するセッション受付数において、利用されている数と利用されていない数を監視し、それぞれの数を検出している。また、ＳＩＰサーバ５は、災害時において、災害時における通知接続のために確保するセッション受付数（以下、予決確保数）を予め決めているものとする。
【００６８】
ここで、ＳＩＰサーバ５は、災害が発生したことによりセッション受付数を確保する場合、まず利用されていないセッション受付数から、予決確保数分確保する。
利用されていないセッション受付数が予決確保数より多い場合には、ＳＩＰサーバ５は、予決確保数分のセッション受付数を利用されていないセッション受付数から確保する。以降、ＳＩＰサーバ５は、確保した予決確保数分のセッション受付数により、災害時における通知接続を順次行う。
【００６９】
一方、利用されていないセッション受付数が予決確保数より少ない場合には、ＳＩＰサーバ５は、まず、利用されていないセッション受付数分のセッション受付数分を確保する。次に、ＳＩＰサーバ５は、セッション受付数の監視をしつつ、確保したセッション受付数により、災害時における通知接続を順次行う。その後、ＳＩＰサーバ５は、利用されていないセッション受付数を監視し、利用されていないセッション受付数を検出した場合、利用されていないセッション受付数を確保し、災害時における通知接続に用いる。その後、ＳＩＰサーバ５は、確保したセッション受付数と予決確保数とを比較し、確保したセッション受付数が予決確保数以上になると、それ以上セッション受付数を確保することをせず、確保した予決確保数分のセッション受付数により、災害時における通知接続を順次行う。
【００７０】
なお、通信ネットワーク監視サーバ６が災害時における通知接続のための帯域と経路とを確保する方法も、アプリケーションサーバ７が災害時における通知接続のための通知サービス種別を確保する方法も、ＳＩＰサーバ５がセッション受付数を確保する方法と同様である。
【００７１】
なお、呼の接続を行う装置を、ＳＩＰサーバー装置として説明してきたが、本発明はＳＩＰサーバー装置に限定されるものではなく、携帯電話などの呼を接続する装置においても適応可能である。
【００７２】
なお、データベース４は、ハードディスク装置や光磁気ディスク装置、フラッシュメモリ等の不揮発性のメモリや、ＣＲ−ＲＯＭ等の読み出しのみが可能な記憶媒体、ＲＡＭ（Ｒａｎｄｏｍ  Ａｃｃｅｓｓ  Ｍｅｍｏｒｙ）のような揮発性のメモリ、あるいはこれらの組み合わせにより構成されるものとする。
なお、データベース４とプレゼンスサーバ３は、一体として構成としてもよい。
【００７３】
以上、この発明の実施形態を図面を参照して詳述してきたが、具体的な構成はこの実施形態に限られるものではなく、この発明の要旨を逸脱しない地域の設計等も含まれる。
【産業上の利用可能性】
【００７４】
本発明は災害時におけるユーザ間の安全確認通知システムに用いて好適である。
【図面の簡単な説明】
【００７５】
【図１】この発明の一実施形態による呼制御システムの構成を示すブロック図である。
【図２】通知登録ユーザ情報リストの内容を示す図である。
【図３】通知登録ユーザ情報総括表情報の内容を示す図である。
【図４】呼制御システムの平常時の動作を示すシーケンス図である。
【図５】呼制御システムの災害時の動作を示すシーケンス図である。
【符号の説明】
【００７６】
１  災害検出サーバ
２  災害通知サーバ
３  プレゼンスサーバ
４  データベース
５  ＳＩＰサーバ
６  通信ネットワーク監視サーバ
７  アプリケーションサーバ
８−１、８−２  ユーザ端末
９  通信ネットワーク
【図１】
2007312299.tif 000003
【図２】
2007312299.tif 000004
【図３】
2007312299.tif 000005
【図４】
2007312299.tif 000006
【図５】
2007312299.tif 000007